(57)【要約】  液晶表示モジュール（１）は、表示駆動のために所定周期で極性が変化する電圧が印加される液晶表示パネル（２）と、光学シート（１４）とを備え、前記液晶表示パネル（２）と前記光学シート（１４）の間に導電性部材（１８）が配置される。前記導電性部材（１８）は、接地部に接続されることにより、液晶表示パネル（２）の共通電極に極性が反転する電圧が印加された場合であっても、その電界変化によって光学シートが受ける影響を低減できる。
2011024505.tif 000002
【特許請求の範囲】
【請求項１】
表示駆動のために所定周期で極性が変化する電圧が印加される液晶表示パネルと、光学シートとを備える液晶表示モジュールであって、
前記液晶表示パネルと前記光学シートの間に導電性部材が配置されており、
前記導電性部材は、接地部に接続されていることを特徴とする液晶表示モジュール。
【請求項２】
前記導電性部材は、前記光学シートと隙間をあけて配置されることを特徴とする、請求項１に記載の液晶表示モジュール。
【請求項３】
前記液晶表示パネルは、表示面側に配置される表偏光板と、表示面の反対側に配置される裏偏光板とを有しており、
前記導電性部材は、前記裏偏光板と接するように積層されていることを特徴とする、請求項１または２に記載の液晶表示モジュール。
【請求項４】
前記導電性部材は、前記裏偏光板と接着層を介して接着されていることを特徴とする、請求項３に記載の液晶表示モジュール。
【請求項５】
前記光学シートは、それぞれ特性の異なる複数の光学シートを積層して構成されていることを特徴とする、請求項１〜４のいずれか一項に記載の液晶表示モジュール。
【発明の詳細な説明】
【技術分野】
【０００１】
本発明は、液晶表示パネルと光学シートとの間に導電性部材を備えた液晶表示モジュールに関する。
【背景技術】
【０００２】
液晶表示装置の分野においては、装置全体を薄型化する技術が進んでいる。しかし、装置全体の薄型化に伴い、振動や音鳴りといった新たな問題が生じている。このような振動や音鳴りは、液晶表示パネルを構成する共通電極に、表示駆動のために所定周期で極性が反転する電圧が印加されることによって発生する。【０００３】
例えば、一般に液晶表示装置を構成する液晶表示モジュールは、液晶表示パネル、光学シートおよびバックライトを少なくとも備える。そして、液晶表示パネルは、表示面側に配置される表偏光板、液晶基板部および、表示面と反対側に配置される裏偏光板を含んで構成される。また、液晶基板部は、ガラス基板、共通電極、配向膜、液晶層およびカラーフィルタ等を含んで構成される。【０００４】
このような液晶表示モジュールは、液晶の焼き付きを防止するために、ライン反転駆動やドット反転駆動といった交流駆動(Vcom)によって駆動される。このため、共通電極には交流電圧が印加される。【０００５】
また、液晶表示モジュールの光学シートには、静電気が蓄積されることがある。光学シートに静電気が蓄積されている状態で、交流電圧が印加された共通電極の電位が周期的に変動すると、静電気を帯電した光学シートと共通電極との間に発生する電界も周期的に変動する。このため、共通電極の近傍に配置された光学シートは周期的に変化する外力を受けることになる。【０００６】
つまり、共通電極に極性が反転する電圧が印加されると、共通電極の周囲に電界変化が生じ、その近傍に配置された光学シートに帯電した静電気が、この電界変化による影響を受ける。この結果、電界変化に応じて発生したクーロン力が、光学シートを振動させることにより音鳴りが発生する。【０００７】
なお、音鳴りは駆動方式に拘わらず発生するが、特にライン反転駆動方式の場合は、発生する音の周波数が人の可聴域にあるため、ライン反転駆動方式を採用している液晶表示装置において発生する音鳴りは、ユーザにとって耳障りとなりやすい。【０００８】
振動や音鳴りを低減するため、拡散シートとバックライトの導光板との間に透明導電シートを設け、共通電極に印加される駆動信号を反転させた信号（補償信号）を、この透明導電シートに印加する液晶表示装置が知られている（例えば、特許文献１参照。）。この液晶表示装置によれば、共通電極に印加された信号が形成する電界は、透明導電シートに印加された補償信号によって、ほぼ打ち消される。よって、拡散シートの振動の抑制により、音鳴りの発生も抑制されると考えられる。【０００９】
また、パネルに発生した静電気をパネルの三辺部に沿って貼り付けた導電シートを介して除去する技術が知られている（例えば、特許文献２参照。）。
【先行技術文献】
【特許文献】
【００１０】
【特許文献１】特開２００４−１８４８８５号公報
【特許文献２】特開平１１−１８５９９１号公報
【発明の概要】
【発明が解決しようとする課題】
【００１１】
しかしながら、駆動信号を反転させた信号を透明導電シートに印加して、液晶表示パネルの表示駆動時における静電気に起因する振動音の発生を防止するためには、反転させた信号を発生させるための特別な回路が必要となる。この場合、装置構成が複雑化し、コストが上昇するという問題点がある。【００１２】
また、パネルの三辺部に沿って貼り付けた導電シート等を介して静電気を除去する場合、導電シート等から離れた位置に存在する光学シートの静電気を完全に除去することはできない。このため、導電シートから離れた位置にあるパネル中心部の静電気を除去できず、電界変化による影響を受けてパネル中心部の振動等が発生しやすくなり、パネルの視認性が低下するという問題点がある。【００１３】
本発明は、上記のような問題点に鑑みてなされたものであり、その目的は、簡単な装置構成であり、かつ、電界変化による影響を受けにくい液晶表示モジュールの提供にある。
【課題を解決するための手段】
【００１４】
上記の目的を達成するために、以下に開示する液晶表示モジュールは、表示駆動のために所定周期で極性が変化する電圧が印加される液晶表示パネルと、光学シートとを備える液晶表示モジュールであって、前記液晶表示パネルと前記光学シートの間に導電性部材が配置されており、前記導電性部材は、接地部に接続されることを特徴とする。【００１５】
上記液晶表示モジュールは、液晶表示パネルと光学シートとの間に、接地部に接続された導電性部材が配置されていることにより、光学シートにて誘起される電荷を導電性部材の電荷によりキャンセルすることができる。このため、液晶表示パネルの共通電極に極性が反転する電圧が印加された場合であっても、その電界変化によって光学シートが受ける影響を低減することができる。
【発明の効果】
【００１６】
以上のように、本発明の液晶表示モジュールは、簡単な装置構成であり、かつ、電界変化による影響を受けにくい、という効果を奏する。
【図面の簡単な説明】
【００１７】
【図１】図１は、本発明にかかる液晶表示モジュールの全体図の一例を示す図である。
【図２】図２は、本発明にかかる液晶表示モジュールの断面図の一例を示す図である。
【図３】図３は、本発明にかかる液晶表示モジュールの機能ブロック図の一例を示す図である。
【図４】図４は、本発明にかかる液晶表示モジュールの断面の拡大図の一例を示す図である。
【図５】図５は、本発明にかかる液晶表示モジュールの構成図の一例を示す図である。
【発明を実施するための形態】
【００１８】
(1)本発明の一実施形態にかかる液晶表示モジュールは、表示駆動のために所定周期で極性が変化する電圧が印加される液晶表示パネルと、光学シートとを備える液晶表示モジュールであって、前記液晶表示パネルと前記光学シートの間に導電性部材が配置されており、前記導電性部材は、接地部に接続されることを特徴とする。これにより、液晶表示パネルの共通電極に極性が反転する電圧が印加された場合であっても、電界変化によって光学シートが受ける影響を低減することができる。
【００１９】
(2)上記液晶表示モジュールにおいて、前記導電性部材は、前記光学シートと隙間をあけて配置されてもよい。この構成においても、光学シートにて誘起される電荷を導電性部材の電荷によりキャンセルすることができるため、クーロン力による光学シートと導電性部材との機構的な干渉を低減させることができ、音の発生を抑制することができる。
【００２０】
(3)上記液晶表示モジュールにおいて、前記液晶表示パネルは、表示面側に配置される表偏光板と、表示面の反対側に配置される裏偏光板とを有しており、前記導電性部材は、前記裏偏光板と接するように積層されてもよい。この構成により、裏偏光板と導電性部材との間に発生する静電気を抑制することができる。
【００２１】
(4)上記液晶表示モジュールにおいて、前記導電性部材は、前記裏偏光板と接着層を介して接着されてもよい。この構成により、液晶表示モジュール全体の静電気量を低減し、振動を引き起こす要因を減らすことができる。
【００２２】
(5)上記液晶表示モジュールにおいて、前記光学シートは、それぞれ特性の異なる複数の光学シートを積層して構成されてもよい。この構成により、導電性部材に近接する光学シート表面において発生した静電気による影響を低減することができる。
【００２３】
以下、本発明の表示装置の好ましい実施形態について、図面を参照しながら説明する。
【００２４】
［１．第１の実施形態］
図１は、本実施形態における液晶表示モジュール１を概略的に示す全体図の一例である。この液晶表示モジュール１は、携帯電話またはＰＤＡ等の液晶表示装置に組み込まれて使用されるものである。
【００２５】
図２は、図１に示す液晶表示モジュール１のＡ−Ａ’線断面図の一例である。図２に示すように、液晶表示モジュール１は、図２の上面から見た面を表示面とする液晶パネル２と、当該液晶パネル２に表示面の反対側から照明光を与えるバックライト装置３とを少なくとも備えている。
【００２６】
液晶パネル２は、液晶層を狭持する一対の透明基板である、対向基板４およびアクティブマトリクス基板５と、透明基板の各外側表面上にそれぞれ設けられた偏光板である、表偏光板６および裏偏光板７とを備えている。また、液晶パネル２では、ＦＰＣ（Flexible Printed Circuit）９に接続されたドライバ８が設けられており、上記液晶層を画素単位に駆動可能に構成されている。
【００２７】
例えば、アクティブマトリクス基板５の表示領域に相当する領域には、複数の画素（図示せず）がマトリクス状に設けられている。各画素は、ＴＦＴ等のアクティブ素子と画素電極とを備えている。複数の画素の各列の間には、ソース線（図示せず）が配置され、複数の画素の各行の間には、ゲート線（図示せず）が配置されている。対向基板には、共通電極（図示せず）やカラーフィルタ（図示せず）等が設けられている。
【００２８】
そして、液晶パネル２では、液晶層によって裏偏光板７を介して入射された上記照明光の偏光状態が変調され、かつ、表偏光板６を通過する光量が制御されることにより、所望画像が表示面に表示される。
【００２９】
一方、液晶表示パネル２の下部においては、導電性部材の一例である透明導電シート１８が積層されている。この透明導電シート１８は、アース部（図示せず）において接地されている。例えば、アース部は、電圧レベルが０（ゼロ）Ｖに設定されている。なお、透明導電シート１８またはアース部を、所定のＤＣ電位を供給する端子に接続する構成としてもよい。例えば、透明導電シート１８をドライバのＤＣ電位出力端子と接続してもよい。すなわち、透明導電シート１８は、所定の接地部に接続されていればよい。
【００３０】
バックライト装置３は、光源としての冷陰極管１０と、冷陰極管１０の光が導入される導光板１１と、冷陰極管１０を制御するバックライト用ドライバ１７とを備えており、配線１６を介して液晶表示パネル２と接続されている。なお、冷陰極管１０に代えてＬＥＤを用いてもよい。導光板１１には、透明なアクリル樹脂などの合成樹脂が用いられている。また、導光板１１には、断面矩形状のものが使用されており、導入された冷陰極管１０の光を上記導光方向に導きつつ、液晶パネル２に向かって適宜発光するようになっている。
【００３１】
また、バックライト装置３では、反射シート１３が導光板１１の液晶パネル２と反対側（対向面側）に設置されている。また、導光板１１の液晶パネル２側（発光面側）には、レンズシートや拡散シート等の複数の光学シート１４が設けられており、導光板１１の内部を所定の導光方向（図２の右側から左側への方向）に導かれた冷陰極管１０からの光が、均一な輝度をもつ平面状の上記照明光に変えられて液晶パネル２に与えられる。
【００３２】
また、バックライト装置３では、ベゼル１２により、導光板１１の上方に液晶パネル２が設置された状態で、冷陰極管１０、導光板１１、反射シート１３、及び光学シート１４が狭持されている。ベゼル１２の外側には、ベゼル１２、導光板１１、冷陰極管１０、バックライト用ドライバ１７を覆うように設けられたケース１５が載置されている。これにより、バックライト装置３は、液晶パネル２に組み付けられ、当該バックライト装置３からの照明光が液晶パネル２に入射される透過型の液晶表示モジュール１として一体化されている。
【００３３】
図３は、上記液晶表示モジュール１が組み込まれた液晶表示装置１０を概略的に示す機能ブロック図の一例である。図３に示すように、本実施形態における液晶表示装置１０は、液晶表示パネル２と制御装置３１とを備えている。
【００３４】
液晶表示モジュール１におけるドライバ８は、ゲートドライバ３２とソースドライバ３３とを含んで構成される。ゲートドライバ３２は、信号電圧を印加するゲート線の選択を行う。ソースドライバ３３は、入力された映像信号を、液晶に加えるべき電圧に変換し、これを選択されたゲート線に接続された画素に印加する。
【００３５】
制御装置３１は、共通電極電圧生成回路３４を備えている。共通電極電圧生成回路３４は、電圧レベルの極性が反転する共通電極電圧(Vcom)を生成し、これを液晶表示パネル２の共通電極に印加する。
【００３６】
なお、アクティブマトリクス基板５上の上記の構成部材は、半導体プロセスによってガラス基板上にモノリシックに形成することも可能である。あるいは、上記の構成部材であるドライバ類を、例えばＣＯＧ(Chip On Glass)技術等によってガラス基板上に実装した構成としても良い。あるいは、アクティブマトリクス基板５上に示した上記の構成部材の少なくとも一部が、ＦＰＣ９上に実装されることも考えられる。
【００３７】
図４は、図２に示した液晶表示モジュール１のＡ−Ａ’線断面図の一部である、位置２０付近の拡大図である。上述したように、本実施形態における液晶表示モジュール１は、液晶表示パネル２、透明導電シート１８、光学シート１４（１４ａ、１４ｂ、１４ｃ）および導光板１１を備えている。液晶表示パネル２は、表偏光板６、対向基板４、共通電極２４、配光膜と液晶材とから構成される液晶部２５、アクティブマトリクス基板５および裏偏光板７を含んで構成される。
【００３８】
共通電極２４には、共通電極電圧生成回路６から電圧レベルの極性が反転する共通電極電圧(Vcom)が印加される。この場合、共通電極に共通電極電圧(Vcom)が印加されると、共通電極の周囲に発生する電界も周期的に変動する。
【００３９】
光学シート１４の上部には、所定の隙間５０をあけて透明導電シート１８が配置されている。また、透明導電シート１８は、液晶パネル２の裏偏光板７に接するように積層され、アース部３０に接続されている。このため、光学シート１４の表面において静電気が発生していた場合であっても、発生した静電気を透明導電シート１８を介してアース部３０に逃がすことができる。
【００４０】
これにより、共通電極に極性が反転する電圧が印加されることによって共通電極の周囲に電界変化が生じた場合であっても、この電界変化による影響を受ける光学シート１４上の静電気を低減することができる。この結果、電界変化に応じて発生したクーロン力が、光学シート等を振動させる、機構的な干渉を抑制することができる。
【００４１】
特に、図４に示したように、上記液晶表示モジュール１においては、それぞれ特性の異なる複数の光学シート（１４ａ、１４ｂ、１４ｃ）が積層されて配置される。例えば、レンズシートや拡散シート等の光学シートの特性は、バックライトや液晶表示モジュール１の各特性に応じて選択すればよい。
【００４２】
図４の場合、光学シート１４ａの透明導電シート１８側の表面において発生した静電気による影響を低減できる。また、液晶表示モジュールを含む装置の落下や振動により、光学シート１４ａ、１４ｂ、１４ｃ間における擦れ等によって静電気が発生することはあり得る。
【００４３】
しかしながら、光学シート１４ａ、１４ｂ、１４ｃ間における擦れなどによって発生した静電気のクーロン力については、透明導電シート１８によってキャンセルされること、および、透明導電シート１８と光学シート１４との間に所定の間隔５０を設けたことによりクーロン力が低減され光学シート１４の移動距離が低減すること等により、光学シート１４と透明導電シート１８とが機構的に干渉することによって生じる音の発生を抑制することができる。
【００４４】
以上に説明したとおり、本実施形態に示す液晶表示モジュール１を用いることにより、液晶表示装置１０においては、透明導電シート１８と光学シート１４との間に存在する静電気によって受ける影響を低減することができる。すなわち、液晶表示パネル２の共通電極２４に極性が反転する電圧(Vcom)が印加された場合であっても、その電界変化によって光学シート１４が受ける影響を低減することができる。
【００４５】
よって、本発明の液晶表示モジュール１を用いると、簡単な装置構成であり、かつ、電界変化による影響を受けにくいという効果を得ることができる。
【００４６】
［１−２．変形例１］
上記においては、図４に示すように、裏偏光板７と透明導電シート１８とを接するように積層する構成とした。しかし、図５に示すように、裏偏光板７と透明導電シート１８とを接着層３５を介して接着するように構成してもよい。
【００４７】
例えば、液晶表示モジュール１が組み込まれた液晶表示装置１０全体が振動することにより、裏偏光板７と透明導電シート１８とが擦れあうことにより静電気が発生することがあり得る。
【００４８】
裏偏光板７と透明導電シート１８とを接着層３５を介して接着することにより、裏偏光板７と透明導電シート１８との間における静電気の発生を抑えることができる。これにより、液晶表示パネル２自体がクーロン力によって振動することを抑制することができる。
【００４９】
［２．その他の実施形態］
以上、本発明についていくつかの実施形態を説明したが、本発明は、上述の各実施形態にのみ限定されず、発明の範囲内で種々の変更が可能である。例えば、タッチパネル機能付きの液晶表示パネルを用いた液晶表示モジュールに対しても適用可能である。
【産業上の利用可能性】
【００５０】
本発明は、液晶表示パネルと光学シートを備えた液晶表示モジュールに対して有用である。
【図１】
2011024505.tif 000003
【図２】
2011024505.tif 000004
【図３】
2011024505.tif 000005
【図４】
2011024505.tif 000006
【図５】
2011024505.tif 000007
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
表示駆動のために所定周期で極性が変化する電圧が印加される液晶表示パネルと、光学シートとを備える液晶表示モジュールであって、
前記液晶表示パネルと前記光学シートの間に導電性部材が配置されており、
前記導電性部材は、接地部に接続され、前記光学シートと所定の隙間をあけて配置されていることを特徴とする液晶表示モジュール。
【請求項２】
前記所定の隙間は、前記光学シートに帯電した静電気が前記電圧の印加によるクーロン力を受けた場合に、前記導電性部材と前記光学シートとの干渉を抑制できる程度の隙間であることを特徴とする、請求項１に記載の液晶表示モジュール。
【請求項３】
前記液晶表示パネルは、表示面側に配置される表偏光板と、表示面の反対側に配置される裏偏光板とを有しており、
前記導電性部材は、前記裏偏光板と接するように積層されていることを特徴とする、請求項１または２に記載の液晶表示モジュール。
【請求項４】
前記導電性部材は、前記裏偏光板と接着層を介して接着されていることを特徴とする、請求項３に記載の液晶表示モジュール。
【請求項５】
前記光学シートは、それぞれ特性の異なる複数の光学シートを積層して構成されていることを特徴とする、請求項１〜４のいずれか一項に記載の液晶表示モジュール。
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
表示駆動のために所定周期で極性が変化する電圧が印加される液晶表示パネルと、光学シートとを備える液晶表示モジュールであって、
前記液晶表示パネルと前記光学シートの間に導電性部材が配置されており、
前記導電性部材は、接地部に接続され、前記光学シートと所定の隙間をあけて配置されており、
前記所定の隙間は、前記光学シートに帯電した静電気が前記電圧の印加によるクーロン力を受けた場合に、前記導電性部材と前記光学シートとの干渉を抑制できる程度の隙間であることを特徴とする液晶表示モジュール。
【請求項２】
前記液晶表示パネルは、表示面側に配置される表偏光板と、表示面の反対側に配置される裏偏光板とを有しており、
前記導電性部材は、前記裏偏光板と接するように積層されていることを特徴とする、請求項１に記載の液晶表示モジュール。
【請求項３】
前記導電性部材は、前記裏偏光板と接着層を介して接着されていることを特徴とする、請求項２に記載の液晶表示モジュール。
【請求項４】
前記光学シートは、それぞれ特性の異なる複数の光学シートを積層して構成されていることを特徴とする、請求項１〜３のいずれか一項に記載の液晶表示モジュール。
【国際調査報告】
2011024505.tif 000008
2011024505.tif 000009